(57)【要約】【課題】塗布型テープと蒸着型テープの両方を使用できる装置において、記録再生の品質を一定にすること。【解決手段】装着された磁気テープの種類を判別する磁気テープ判別手段と、磁気テープを走行させる磁気テープ駆動手段と、磁気テープ判別手段の判別結果により磁気テープ走行速度を制御する制御手段とを備える。塗布型テープの場合は、蒸着型テープの場合よりも磁気テープ走行速度を約１．３倍速くし、記録トラックピッチを大きくする。【選択図】  図１
2004342239.tif 000002
【特許請求の範囲】
【請求項１】
磁気ヘッドを搭載した回転ドラムを回転させ、走行する磁気テープに情報信号を記録再生する回転磁気ヘッド型記録再生装置において、
装着された磁気テープの種類を判別する磁気テープ判別手段と、
前記磁気テープを走行させる磁気テープ駆動手段と、
前記磁気テープ判別手段の判別結果により前記磁気テープ駆動手段の磁気テープ走行速度を制御する制御手段と、
を備えることを特徴とする回転磁気ヘッド型記録再生装置。
【請求項２】
請求項１記載の回転磁気ヘッド型記録再生装置において、
前記磁気テープとして蒸着型テープおよび塗布型テープが装着可能であって、前記制御手段は、装着された磁気テープが塗布型テープの場合は、蒸着型テープの場合よりも磁気テープ走行速度を速くし、記録トラックピッチを大きくすることを特徴とする回転磁気ヘッド型記録再生装置。
【請求項３】
請求項１または２記載の回転磁気ヘッド型記録再生装置において、
前記磁気テープ判別手段は、前記磁気テープが収納されたテープカセットに設けられた検出孔の開閉状態から磁気テープの種類を判別することを特徴とする回転磁気ヘッド型記録再生装置。
【請求項４】
磁気ヘッドを搭載した回転ドラムを回転させ、走行する磁気テープに情報信号を記録再生する回転磁気ヘッド型記録再生装置において、
前記磁気ヘッドにより再生された信号の符号間干渉を補正する波形等化回路と、
該波形等化回路に接続される再生信号処理回路と、
前記波形等化回路の波形等化係数の設定値と、前記再生信号処理回路からの出力信号のエラー発生状況とから装着された磁気テープの種類を判別する磁気テープ判別手段と、
該磁気テープ判別手段の判別結果により前記波形等化回路の波形等化係数を設定する制御手段と、
を備えることを特徴とする回転磁気ヘッド型記録再生装置。
【請求項５】
請求項４記載の回転磁気ヘッド型記録再生装置において、
前記磁気テープとして蒸着型テープおよび塗布型テープが装着可能であって、
前記磁気テープを走行させる磁気テープ駆動手段を備え、
前記制御手段は、装着された磁気テープが塗布型テープの場合は、蒸着型テープの場合よりも磁気テープ走行速度を速くし、記録トラックピッチを大きくすることを特徴とする回転磁気ヘッド型記録再生装置。
【請求項６】
磁気ヘッドを搭載した回転ドラムを回転させ、走行する磁気テープに情報信号を記録再生する回転磁気ヘッド型記録再生装置において、
前記磁気ヘッドは、記録用磁気ヘッドと再生用磁気抵抗効果型ヘッドとで構成し、記録時には前記記録用磁気ヘッドで磁気テープに情報信号を記録しながら前記再生用磁気抵抗効果型ヘッドで前記記録された情報信号を即時再生することが可能であり、
前記磁気テープとして蒸着型テープおよび塗布型テープが装着可能であって、
装着された磁気テープの種類を判別する磁気テープ判別手段と、
前記磁気テープを走行させる磁気テープ駆動手段と、
前記磁気テープ判別手段の判別結果により前記磁気テープ駆動手段の磁気テープ走行速度を制御する制御手段と、を備え、
前記制御手段は、装着された磁気テープが塗布型テープの場合は、蒸着型テープの場合よりも磁気テープ走行速度を速くし、記録トラックピッチを大きくすることを特徴とする回転磁気ヘッド型記録再生装置。
【請求項７】
請求項６記載の回転磁気ヘッド型記録再生装置において、
前記磁気抵抗効果型ヘッドは、同一アジマス角を有する２個以上の磁気抵抗効果型ヘッドを１チップ上に形成したマルチトラックヘッドで構成し、
該各磁気抵抗効果型ヘッドのヘッド幅は、蒸着型テープ使用時の記録トラックピッチのほぼ２倍の値に設定し、該各磁気抵抗効果型ヘッドのヘッド間段差は、蒸着型テープ使用時の記録トラックピッチと塗布型テープ使用時の記録トラックピッチのほぼ中間値に設定し、
記録時には前記記録用磁気ヘッドで前記磁気テープ上にアジマス角度の異なる記録トラックを交互に形成し、再生時には前記記録トラックを前記再生用磁気抵抗効果型ヘッドが２度走査するノントラッキング方式で再生し、
前記制御手段は、装着された磁気テープが塗布型テープの場合は、蒸着型テープの場合よりも磁気テープ走行速度を約１．３倍速くすることを特徴とする回転磁気ヘッド型記録再生装置。
【請求項８】
磁気ヘッドを搭載した回転ドラムを回転させ、走行する磁気テープに情報信号を記録再生する回転磁気ヘッド型記録再生装置において、
前記磁気ヘッドは、記録用磁気ヘッドと再生用磁気抵抗効果型ヘッドとで構成し、記録時には前記記録用磁気ヘッドで磁気テープに情報信号を記録しながら前記再生用磁気抵抗効果型ヘッドで前記記録された情報信号を即時再生することが可能であり、
装着された磁気テープの磁性層の厚さが薄層型であるか厚層型であるかを判別する磁気テープ判別手段と、
前記磁気テープ判別手段の判別結果により前記再生用磁気抵抗効果型ヘッドの駆動電流を制御する制御手段と、を備え、
前記制御手段は、装着された磁気テープが厚層型テープの場合は、薄層型テープの場合よりも駆動電流を減らすことを特徴とする回転磁気ヘッド型記録再生装置。
【発明の詳細な説明】
【０００１】
【発明の属する技術分野】
本発明はディジタル情報信号の記録再生装置に係り、特に複数種類の磁気テープに対して記録再生を行える回転磁気ヘッド型記録再生装置に関する。
【０００２】
【従来の技術】
磁気テープを用いる回転ヘッド型磁気記録再生装置においては、再生ヘッドとして磁気抵抗効果型ヘッド（以下ＭＲヘッドと記す）を採用して高密度化を図るとともに、記録媒体である磁気テープは短波長記録に適応するため磁性層の薄膜化が進められている。
【０００３】
特に蒸着型テープでは１００ｎｍ以下の薄膜テープが主流になりつつある。一方、磁気テープのローコスト化のため、塗布型テープでも薄層化した高性能テープの開発が進められている（たとえば特許文献１参照）。これらのテープに対応するため、一台の装置に蒸着、塗布型両方の磁気テープが使用されることを想定し、それぞれの磁気特性に適応する波形等化回路を２系統設けることが提案されている（たとえば特許文献２参照）。
【０００４】
【特許文献１】
特開平１１−２５０４４３号公報
【特許文献２】
特開平７−２８７８０５号公報
【０００５】
【発明が解決しようとする課題】
このような複数の磁気テープを使用する場合、記録再生性能に差異が生じる。現状の薄層塗布型テープは蒸着型テープに比べ、得られるＳ／Ｎ（Ｓｉｇｎａｌｔｏ  Ｎｏｉｓｅ  ｒａｔｉｏ）値が劣るという問題がある。これは、キャリア周波数から離れた周波数におけるノイズは同等であるが、薄層塗布型テープはキャリア近傍周波数領域のノイズが大きく、結果的に出力感度が同じであっても伝送帯域内ノイズの積分値が大きくなるからである。上記特許文献２に開示される技術は、波形等化回路を２系統設けることであって、Ｓ／Ｎ値の差を解消することにはならない。
【０００６】
本発明の目的は、記録再生に使用する磁気テープの種類にかかわらず、一定品質の記録再生を行える回転磁気ヘッド型記録再生装置を提供することにある。
【０００７】
【課題を解決するための手段】
上記目的を達成するため、本発明による回転磁気ヘッド型記録再生装置は、装着された磁気テープの種類を判別する磁気テープ判別手段と、磁気テープを走行させる磁気テープ駆動手段と、磁気テープ判別手段の判別結果により磁気テープ駆動手段の磁気テープ走行速度を制御する制御手段とを備える。特に磁気テープとして蒸着型テープおよび塗布型テープが装着可能であって、制御手段は、装着された磁気テープが塗布型テープの場合は、蒸着型テープの場合よりも磁気テープ走行速度を速くし、記録トラックピッチを大きくする。好ましくは、塗布型テープである場合には、蒸着型テープの場合よりも走行速度を約１．３倍速くする。
【０００８】
また本発明による回転磁気ヘッド型記録再生装置は、磁気ヘッドにより再生された信号の符号間干渉を補正する波形等化回路と、波形等化回路に接続される再生信号処理回路と、波形等化回路の波形等化係数の設定値と、再生信号処理回路からの出力信号のエラー発生状況とから装着された磁気テープの種類を判別する磁気テープ判別手段と、磁気テープ判別手段の判別結果により波形等化回路の波形等化係数を設定する制御手段とを備える。
【０００９】
また本発明による回転磁気ヘッド型記録再生装置は、再生用磁気抵抗効果型ヘッドを用いて構成し、装着された磁気テープの磁性層の厚さが薄層型であるか厚層型であるかを判別する磁気テープ判別手段と、磁気テープ判別手段の判別結果により再生用磁気抵抗効果型ヘッドの駆動電流を制御する制御手段とを備え、制御手段は、装着された磁気テープが厚層型テープの場合は、薄層型テープの場合よりも駆動電流を減らすようにした。
【００１０】
【発明の実施の形態】
図１は、本発明による回転磁気ヘッド型装置の一実施形態を示すブロック図である。１は回転ドラム、２０１，２０２は記録ヘッド、３０１，３０２，３０３，３０４は磁気抵抗効果型ヘッド（ＭＲヘッド）、４０１，４０２は記録再生集積回路、５はテープ走行用モータ、６はロータリートランス、７は記録データ用ロータリートランス、８０１，８０２は再生信号用ロータリートランス、９１，９２はバッファアンプ、１０１，１０２はイコライザ回路、１１１，１１２は再生系信号処理回路、１２はシステムコントロール回路、１３は記録データ生成回路である。
【００１１】
回転ドラム１上に１８０°対向でＭＲヘッド３０１，３０２とＭＲヘッド３０３，３０４が取り付けられており、ドラム回転方向に概略１８０°巻き付けられた磁気テープ（図示せず）に記録された信号を読み取る。記録ヘッドはアジマス角度＋Ａｚの記録ヘッド２０１、アジマス角度−Ａｚの記録ヘッド２０２を１８０°対向で配置し、さらに記録ヘッド２０１，２０２、アジマス角度＋ＡｚのＭＲヘッド３０１，３０２、アジマス角度−ＡｚのＭＲヘッド３０３，３０４はそれぞれ９０°間隔で配置している。
【００１２】
図２は、図１におけるＭＲヘッドのテープ摺動面側から見たヘッド配置の一例を示す。２個のＭＲヘッド３０１，３０２はアジマス角度＋Ａｚを与えられて１チップ上に構成され、同様に２個のＭＲヘッド３０３，３０４はアジマス角度−Ａｚを与えられて１チップ上に構成されたマルチギャップ（マルチトラックヘッド）構造となっている。以下、複数のヘッドを１チップ上に構成したものをヘッドアセンブリと記す。
【００１３】
ＭＲヘッドは、ＭＲ素子のテープ摺動面から奥行き方向への素子長さ（ＭＲハイト）によって、感度、最適動作点が異なるが、このように１チップ上に薄膜プロセスで形成された２個のＭＲヘッド３０１，３０２は、数μｍ〜数１００μｍの近接した位置に配置されるため、ＭＲハイトの値を等しく加工でき、両ヘッドともほとんど同一の磁気特性を持たせることができる。ＭＲヘッド３０３，３０４で構成されるヘッドアセンブリについても同様である。
【００１４】
図３は、図１における記録ヘッドのテープ摺動面側から見たヘッド配置の一例を示す。１個の記録ヘッド２０１はアジマス角度＋Ａｚを与えられて１チップ上に構成され、同様に１個の記録ヘッド２０２はアジマス角度−Ａｚを与えられて１チップ上に構成されている。
【００１５】
図１において、記録再生集積回路４０１，４０２は２チャンネルの記録回路およびＭＲヘッド用の２チャンネルの再生アンプを備え、Ｄａｔａ、Ｃｌｏｃｋ、ＣＳ、Ｒ／Ｗ（記録再生切換）の４本の制御ラインで動作モードが制御される（図示せず）。制御機能はたとえば、ヘッド（アンプ）切換スイッチ、ＭＲヘッドバイアス電流設定、再生アンプゲイン設定、ＭＲヘッド特有のサーマルアスペリティノイズ（ＴＡ：Ｔｈｅｒｍａｌ  Ａｓｐｅｒｉｔｙ  ｎｏｉｓｅ）の検出、補正、記録電流の設定などであり、あらかじめその機能に対応するレジスタを選択して制御データを書き込み、その動作状態、値を決定する。
【００１６】
固定側と回転側のデータ伝送を行うロータリートランス６は、記録データ用ロータリートランス７、再生信号用ロータリートランス８０１，８０２を備えている。
【００１７】
記録時には、記録データ生成回路１３から出力されたデータ信号は、記録データ用ロータリートランス７、Ｒ／Ｗラインによって記録モードに設定された記録再生集積回路４０１、記録ヘッド２０１，２０２を介して＋アジマス、−アジマスデータトラックが交互に磁気テープ上に形成・記録される。この直後に、ＭＲヘッド３０２が記録ヘッド２０１で記録された＋アジマスデータトラックを、ＭＲヘッド３０４が記録ヘッド２０２で記録された−アジマスデータトラックを即再生し、記録データの信頼性を高める動作（チェックアフターライト機能）を行う。このため、記録ヘッド２０１，２０２とＭＲヘッド３０２，３０４のヘッド高さが互いに調整されているとともに、記録再生集積回路４０２を常に再生モードに設定している。以上は、後行側であるＭＲヘッド３０２，３０４を同時再生用ＭＲヘッドとして使用する例について説明したが、これは先行側であるＭＲヘッド３０１，３０３であっても良い。
【００１８】
再生時には、ＭＲヘッド３０１と３０２のペアと、３０３と３０４のペアを同時に動作させる。ＭＲヘッド３０１（＋アジマス）、３０３から再生された信号（−アジマス）は、Ｒ／Ｗラインによって再生モードに設定された記録再生集積回路４０１で増幅された後、再生信号用ロータリートランス８０１を介して、固定側のバッファアンプ９１、伝送信号の符号間干渉を取り除くイコライザ回路１０１、再生系信号処理回路１１１に伝送される。また、ＭＲヘッド３０２（＋アジマス）、３０４から再生された信号（−アジマス）は、記録再生集積回路４０２で増幅された後、再生信号用ロータリートランス８０２を介して、固定側のバッファアンプ９２、イコライザ回路１０２を介して再生系信号処理回路１１２に伝送される。バッファアンプ９１，９２としては、ベース接地回路のような低入力インピーダンス回路で構成する。
【００１９】
この再生時には、記録時のテープ送り速度に対してわずかに遅いテープ速度（０．９５倍程度）に設定し、図２で符号Ａに示したＭＲヘッド３０１と３０２、３０３と３０４の相互ヘッド高さ調整値を１トラックピッチ相当に設定する。これにより、特別なトラッキング制御を必要とせず、すべての記録データを４個のＭＲヘッドを使用して、読み取れることが可能となる（以下、この再生方法をノントラッキング方式と記す）。
【００２０】
前述したように、記録再生集積回路４０１、４０２は、Ｄａｔａ、Ｃｌｏｃｋ、ＣＳ、Ｒ／Ｗの４種類のディジタル信号で制御され、再生時にはヘッド切換スイッチ、ＭＲヘッドバイアス電流値など、記録時にはヘッド切換スイッチ、記録電流値などが上記４種のディジタル信号で制御される。図１の実施形態では、２個の記録再生集積回路４０１，４０２を備えているため、共通のＤａｔａ、Ｃｌｏｃｋラインに対して、ＣＳラインは独立した２本および記録再生集積回路４０１用のＲ／Ｗライン１本の計５本がデコーダ６の出力信号となる。
【００２１】
本構成により、回転ドラム１上に搭載された各ＭＲヘッド３０１，３０２，３０３，３０４のバイアス電流を独立に調整できる。また、同様に記録ヘッド２０１，２０２の記録電流設定値を独立して調整できる。
【００２２】
次に、蒸着型テープ（以下、ＭＥテープと記す）および塗布型テープ（以下、ＭＰテープと記す）が装着された場合の本実施形態の装置の動作について説明する。
【００２３】
図４は、２種のテープの孤立応答波形の比較を示す。図４（ｂ）に示したＭＥテープは波形の立ち上がりがなだらかで、立下りが急峻な高域遅れの波形となっている。これに対し（ａ）に示したＭＰテープでは波形の立ち上がりが急峻で、立下りがなだらかな高域進みの波形となる。したがって両テープに対するイコライザ回路１０１，１０２の設定は互いに異なったものとして、伝送するディジタルデータにおいて符号間干渉をなくすことができる。もし、イコライザ回路の設定が正しくないと、伝送されるほとんどのデータはエラーとなる。
【００２４】
これより、現在のイコライザ回路の設定値が既知であり、再生系信号処理回路１１１，１１２のエラー発生状況をモニタすれば、現在走行しているテープの種類を瞬時に判断できる。たとえばイコライザ回路がＭＰテープに対応する設定であって、エラーが発生すれば再生中の磁気テープはＭＥテープであり、エラーが発生しなければＭＰテープであると判断できる。
【００２５】
図５は、２種のテープの再生信号スペクトラムを示す。（ａ）に示したＭＰテープは（ｂ）に示したＭＥテープに比べキャリア近傍のノイズが大きい。したがって再生出力レベルが同じであっても伝送系のＳ／Ｎに関し、ＭＰテープはＭＥテープに比べ１〜１．５ｄＢ程度劣る。そのため、ＭＰテープ記録再生時にはＳ／Ｎを向上させるための方策が必要になる。
【００２６】
Ｓ／Ｎ改善には２つの方法がある。第１は記録波長を長くしスペーシング損失などの波長に関係する伝送損失を減らす方法、第２は記録トラックピッチを広くしＳ／Ｎを向上させる方法である。
【００２７】
第１の記録波長を長くする方法は、記録信号周波数はそのままで、回転ドラムの回転数だけを上げる、あるいは回転ドラムの回転数はそのままで、記録信号周波数を低くすることによって実現できる。しかし、記録データ生成回路１３、イコライザ回路１０１，１０２、再生系信号処理回路１１１，１１２を２系統備えることが必要になり、装置自体のコストが増大する。
【００２８】
第２の記録トラックピッチを変化させる方法は、信号処理回路の切り換え無しで実現できる。したがって本実施形態では、テープ種類に応じて記録トラックピッチを切り換えるようにした。
【００２９】
まずチェックアフタライト時の動作を説明する。システムコントロール回路１２は、イコライザ回路１０１，１０２の設定をＭＥテープ側にし、テープカセットが装着されたらテープのデータ記録開始部分を即再生する。前述したように、ここで情報信号が記録されておりエラーなしでデータが再生できれば、再生系信号処理回路１１１はシステムコントロール回路１２に情報信号を出力し、現在走行しているテープがＭＥテープであることが判別でき、次の指示待ちの状態となる。逆に記録信号があるにもかかわらず、エラーが非常に多い場合にはシステムコントロール回路１２はＭＰテープと判断し、イコライザ回路１０１，１０２の設定をＭＰテープ側に切り換えるとともに、テープ走行用モータを制御してテープ走行速度を速める動作を行い、データ信号がエラーなく再生できることを確認したら次の指示待ちの状態となる。
【００３０】
もし、情報信号の記録が行われていないテープの場合には、数本の磁気トラックを記録再生しながら（前述したチェックアフタライト機能）、上記の手順でエラーの発生状況に応じてＭＰテープ、ＭＥテープの判別を行う。この時、判定結果がＭＰテープであった場合には、以降のテープ走行速度はＭＥテープに比べて速くなるようにテープ走行モータ５を制御する。また、テープ判別動作が終了したらテープ先頭記録位置にテープを巻き戻し、次の指示待ちの状態とする。
【００３１】
ここで、ＭＰテープの記録トラックピッチの最適化について述べる。図５に示した再生信号スペクトルにおいて、キャリア近傍ノイズによる全帯域トータルノイズの増加は１〜１．５ｄＢ程度である。系のＣ／Ｎ（Ｃａｒｒｉｅｒ  ｔｏ  Ｎｏｉｓｅ  ｒａｔｉｏ）はトラックピッチの平方根に比例するとすると、ＭＰテープの場合の記録トラックピッチはＭＥテープの場合に対して約１．２６〜１．４倍に設定すればよい。この値を選択することにより、たとえ磁気テープの種類によってトラックピッチが変化しても、記録ヘッドと再生ヘッドのヘッド取り付け高さを変更することなく、前述したチェックアフターライト機能、およびノントラッキングによる再生機能を安定動作させることができる。
【００３２】
ここでＭＥテープ使用時のトラックピッチを６μｍ、ＭＰテープ使用時のトラックピッチを１．３倍の８μｍとすると、図２に示したヘッド間段差Ａを両トラックピッチの中間値の７μｍ、ヘッド幅Ｂを小側トラックピッチ６μｍの２倍である１２μｍ以下に設定すれば、両トラックピッチのシステムに対応できる。
【００３３】
以上、本構成により再生系信号処理回路１１１，１１２、記録データ生成回路１３などのディジタル信号処理回路を変更することなく、１台の装置でＭＥテープ、ＭＰテープの両テープに対してＳ／Ｎ比をほぼ一定の品質にて記録再生を行えるシステムを実現できる。
【００３４】
図１の実施形態においては、再生信号処理回路１１１の出力信号（エラー発生）で判別する方法について示したが、これは再生信号処理回路１１２を使用してもよく、また再生信号処理回路１１１，１１２を併用してもかまわない。
【００３５】
図６は、本発明による回転磁気ヘッド型記録再生装置の他の実施形態を示すブロック図である。図１と同一部品については同一符号で示し、１４はテープ判別回路である。
【００３６】
テープ判別回路１４は、テープ判別センサ回路の出力信号から、現在装置に装着されているテープの種類を判別する。ここでいうテープ種類とは、ＭＰテープとＭＥテープの識別、磁性層厚の相違、テープ長などで、磁気テープが収められたカセットハーフに設けた検出孔の開閉状態で判別される。たとえば３個の検出孔を使用すれば最大８種類のテープを判別できる。
【００３７】
テープカセットが装置に装着された時にテープ判別回路１４が動作し、システムコントロール回路１２はそのテープがＭＰテープか、ＭＥテープかを判別し、その結果によってあらかじめ定められたイコライザ回路１０１，１０２の波形等化設定値およびテープ走行速度を瞬時に設定する。この実施形態では、図１に示した実施形態に対し実際にテープを走行させる必要がないため短時間に設定を終了できるという効果がある。
【００３８】
また、装着されたＭＥテープ，ＭＰテープが高密度記録対応の薄層型ではなく、従来の厚層型である場合には長波長領域の出力レベルが増大し、記録再生集積回路４０１，４０２が飽和する可能性がある。これを防ぐためには、上記したテープ判別回路１４によって磁性層厚を判別し、厚層型テープが装着されている時には、ＭＲヘッド３０１〜３０４に流す駆動電流（バイアス電流）を少なくするように制御する。この時、系のＳ／Ｎは磁気テープで決まっているので駆動電流を下げることによるＳ／Ｎ劣化はない。
【００３９】
以上、本発明による複数の実施形態についてそれぞれ動作を説明したが、たとえば図１に示した再生系信号処理回路１１１によるデータエラー検出による方式と、図４に示したテープ判別回路１４による方式とを組み合わせて制御してもよい。さらに最終的にエラーレート状況を測定すれば設定の信頼性をさらに高めることができる。また再生ヘッドとしてＭＲヘッドを使用した場合の実施形態について述べたが、これは従来の誘導型ヘッドであってもかまわない。
【００４０】
【発明の効果】
本発明によれば、磁気テープの種類にかかわらず一定品質の記録再生を行えるという効果がある。
【図面の簡単な説明】
【図１】本発明の回転磁気ヘッド型記録再生装置の一実施形態を示すブロック図。
【図２】図１のＭＲヘッドの配置図。
【図３】図１の記録ヘッドの配置図。
【図４】ＭＰテープとＭＥテープの孤立応答波形を示す図。
【図５】ＭＰテープとＭＥテープの再生信号スペクトルを示す図。
【図６】本発明の回転磁気ヘッド型記録再生装置の他の実施形態を示すブロック図。
【符号の説明】
１…回転ドラム、２０１，２０２…記録ヘッド、３０１，３０２，３０３，３０４…ＭＲヘッド、４０１，４０２…記録再生集積回路、５…テープ走行用モータ、６…ロータリートランス、１０１，１０２…イコライザ回路、１２…システムコントロール回路、１４…テープ判別回路。
【図１】
2004342239.tif 000003
【図２】
2004342239.tif 000004
【図３】
2004342239.tif 000005
【図４】
2004342239.tif 000006
【図５】
2004342239.tif 000007
【図６】
2004342239.tif 000008